【事件の表示】
　特願２００８−２４９００３「通信端末」拒絶査定不服審判事件〔平成２２年　４月　８日出願公開、特開２０１０−　７９７２０〕について、次のとおり審決する。
【結　論】
　本件審判の請求は、成り立たない。
【理　由】
１．手続の経緯
　
　本件審判請求に係る出願（以下、「本願」という。）は、平成２０年９月２６日の出願であって、平成２３年８月３０日付けで審査請求がなされ、平成２４年１０月１８日付けで拒絶理由通知（同年１０月２３日発送）がなされ、同年１２月２１日付けで意見書が提出されるとともに、同日付けで手続補正がなされたが、平成２５年１月３０日付けで拒絶査定（同年２月５日謄本送達）がなされたものである。
　これに対して、「原査定を取り消す。本願の発明は特許すべきものである、との審決を求める。」ことを請求の趣旨として、平成２５年５月７日付けで本件審判請求がなされたものである。
　
２．本願発明
　
　本願の特許請求の範囲の請求項１に係る発明（以下、「本願発明」という。）は、上記平成２４年１２月２１日付け手続補正書により補正された明細書及び特許請求の範囲の記載からみて、その特許請求の範囲の請求項１に記載された以下のとおりのものと認める。
　
「サーバからデータをダウンロードする通信端末であって、
　所定のアプリケーションの実行に際して、該所定のアプリケーションの識別情報及び該所定のアプリケーションが実行された時刻を対応付けたログ情報を記録する記録部と、
　前記サーバより送信される前記データのダウンロードが可能な時間帯情報を１以上含まれてなる時間情報を取得する時間取得部と、
　前記記録部に記録されている前記所定のアプリケーションのログ情報から当該所定のアプリケーションの実行がされていない時刻を検索して、前記時間取得部により取得された前記時間情報に含まれている前記時間帯情報から１又は複数の時間帯情報を選択する選択部と、
　前記選択された時間帯情報を含む予約情報を前記サーバに送信する送信部と、
　前記選択された時間帯情報に基づいてダウンロードの開始時刻を設定する時刻設定部と、
　前記ダウンロードの開始時刻に、前記データの送信要求を前記サーバに送信する開始要求部と、
　前記送信要求により前記サーバから送信されてきた前記データを受信するデータ受信部と、を備える通信端末。」
　
３．引用文献に記載されている技術的事項及び引用発明の認定
　
（１）引用文献１
　
　本願の出願前に頒布され、原審の拒絶の査定の理由である上記平成２４年１０月１８日付けの拒絶理由通知において引用された刊行物である、特開２００４−１８５１１４号公報（平成１６年７月２日出願公開。以下、「引用文献１」という。）には、図面とともに、以下の技術的事項が記載されている。
（当審注：下線は、参考のために当審で付与したものである。）
　
Ａ　「【請求項８】
データを管理するサーバから前記データをダウンロードする通信端末であって、
前記データのダウンロードの予約を割付可能な候補の時間帯に関し、少なくともその開始時刻を示す時間情報を含む予約候補情報の送信要求を当該サーバに送信すると共に、当該要求に応じて前記サーバによって送信される前記予約候補情報を取得する予約候補取得手段と、
前記予約候補取得手段によって取得される前記予約候補情報に基づいて選択される前記時間情報を予約時間情報として含む予約選択情報を前記サーバに送信すると共に、当該予約時間情報が示す前記開始時刻を、前記ダウンロードの起動時刻として記憶する予約選択手段と、
前記予約選択手段によって記憶された前記起動時刻に、前記サーバへ前記データの送信要求を送信するデータ要求送信手段と、
前記データ要求送信手段によって送信された前記データの送信要求に応じて前記サーバによって送信される前記データを受信するデータ受信手段と
を備えることを特徴とする通信端末。
　
Ｂ　「【０００５】
本発明は上記問題点を解決するためになされたもので、サーバや伝送路への負荷を適切に分散でき、更に
データのダウンロードに関する利便性を高めることを課題
　
Ｃ　「【００４６】
予約選択部１５は
その予約候補情報に含まれる上述の時間情報の中から、更新ファイルのダウンロードを実行する時間帯に関する時間情報の選択を促す画面を表示する
通信端末１０のユーザによって、これらの時間帯のうちいずれかが選択されて、決定アイコンへ入力がなされる
　
　ここで、上記引用文献１に記載されている事項を検討する。
　
（ア）上記Ａの記載からすると、引用文献１には、
「データを管理するサーバから前記データをダウンロードする通信端末であって、
　前記データのダウンロードの予約を割付可能な候補の時間帯に関し、少なくともその開始時刻を示す時間情報を含む予約候補情報の送信要求を当該サーバに送信すると共に、当該要求に応じて前記サーバによって送信される前記予約候補情報を取得する予約候補取得手段と、
　前記予約候補取得手段によって取得される前記予約候補情報に基づいて選択される前記時間情報を予約時間情報として含む予約選択情報を前記サーバに送信すると共に、当該予約時間情報が示す前記開始時刻を、前記ダウンロードの起動時刻として記憶する予約選択手段と、
　前記予約選択手段によって記憶された前記起動時刻に、前記サーバへ前記データの送信要求を送信するデータ要求送信手段と、
　前記データ要求送信手段によって送信された前記データの送信要求に応じて前記サーバによって送信される前記データを受信するデータ受信手段と、
を備えることを特徴とする通信端末。」
が記載されている。
　
（イ）上記Ｃの「予約選択部１５は・・・その予約候補情報に含まれる上述の時間情報の中から、更新ファイルのダウンロードを実行する時間帯に関する時間情報の選択を促す画面を表示する・・・通信端末１０のユーザによって、これらの時間帯のうちいずれかが選択されて、決定アイコンへ入力がなされる」との記載からすると、上記（ア）の「予約選択手段」に関して、
“予約候補情報に含まれる時間情報の中から、データのダウンロードを実行する時間帯に関する前記時間情報の選択を促す画面を表示し、ユーザによって、これらの時間帯のうちいずれかが選択”される
態様が記載されている。
　
　以上、（ア）及び（イ）で指摘した事項を踏まえると、引用文献１には、次の発明（以下、「引用発明」という。）が記載されているものと認められる。
　
「データを管理するサーバから前記データをダウンロードする通信端末であって、
　前記データのダウンロードの予約を割付可能な候補の時間帯に関し、少なくともその開始時刻を示す時間情報を含む予約候補情報の送信要求を当該サーバに送信すると共に、当該要求に応じて前記サーバによって送信される前記予約候補情報を取得する予約候補取得手段と、
　前記予約候補取得手段によって取得される前記予約候補情報に基づいて選択される前記時間情報を予約時間情報として含む予約選択情報を前記サーバに送信すると共に、当該予約時間情報が示す前記開始時刻を、前記ダウンロードの起動時刻として記憶する予約選択手段と、
　前記予約選択手段によって記憶された前記起動時刻に、前記サーバへ前記データの送信要求を送信するデータ要求送信手段と、
　前記データ要求送信手段によって送信された前記データの送信要求に応じて前記サーバによって送信される前記データを受信するデータ受信手段と、
を備え、
　前記予約選択手段は、前記予約候補情報に含まれる前記時間情報の中から、前記データのダウンロードを実行する時間帯に関する前記時間情報の選択を促す画面を表示し、ユーザによって、これらの時間帯のうちいずれかが選択される
ことを特徴とする通信端末。」
　
（２）引用文献２
　
　本願の出願前に頒布され、原審の拒絶の査定の理由である上記平成２４年１０月１８日付けの拒絶理由通知において引用された刊行物である、特開２００５−１５７５０９号公報（平成１７年６月１６日出願公開。以下、「引用文献２」という。）には、図面とともに、以下の技術的事項が記載されている。
（当審注：下線は、参考のために当審で付与したものである。）
　
Ｄ　「【請求項９】
　通信を行う通信部と、プログラム及びデータを記憶する記憶部と、前記通信部及び記憶部を制御する制御部とを有する通信端末と、
　通信網を介して前記通信端末と通信を行う通信部と、更新用プログラム及びデータを記憶する保存部と、前記通信部と保存部とを制御する制御部とを有するサーバと、を備える通信システムであって、
　
前記通信端末は、該通信端末の使用状況を記憶する使用状況記憶部を有し、該使用状況記憶部に記憶された使用状況に基いて、該記憶部に記憶されたプログラム又はデータの更新要求を前記サーバに送信し、
　
前記サーバは、前記通信端末から前記プログラム又はデータの更新要求を受信したときは、更新用プログラム又は更新用データを前記通信端末に送信する
　
Ｅ　「【００２５】
　
図２は、通信端末１がプログラム更新を行う場合の手順
通信端末１が使用状況を記憶して適切なタイミングでプログラム更新を行う手順
（１）
通信端末１は、ユーザが通信端末１を使用する日時・曜日・時間帯、各プログラムの使用頻度・使用時間、各データの使用頻度・使用時間等を、制御部１０２により使用状況記憶部１０６記憶する
ユーザが
各プログラムを使用するたび
に、制御部１０２により使用状況記憶部１０６に記憶される
この使用状況のデータは、後述するプログラム更新が可能なタイミング等を設定するために用いられる
（２）更新サーバ３は、新規なプログラムが作成された場合や、更新用プログラムが作成された場合には、更新用プログラム保存部３０１に保存する（Ｓ２０２）。
（３）更新サーバ３は、ユーザ契約記憶部３０５を参照し、前記新規作成されたプログラムや更新用プログラムをユーザが使用する契約を有するか否かを確認する。具体的には、制御部３０４がユーザ契約記憶部３０５を参照し、ユーザが更新する権利を有するか否かを確認する。そして、当該プログラムを使用する契約を有しない場合には（Ｓ２０３：ＮＯ）処理を終了し、有する場合には（Ｓ２０３：ＹＥＳ）Ｓ２０４に移行する。
（４）ユーザが契約を有すると判断された場合には、当該ユーザの通信端末１に対して通信部３０３から更新通知が送信される（Ｓ２０４）。この更新通知は、新規作成されたプログラムや更新用プログラムが存在する旨を通知するものである。この更新通知により、通信端末１において更新可能なプログラムが存在することを把握できるようになる。
（５）更新通知を受け取ると、
通信端末１の制御部１０２は、使用状況記憶部１０６を参照して更新タイミングを確認し、どの時点でプログラム更新が可能であるか判断する
【００２６】
　一方、
プログラム更新が可能であると判断された場合には、更新可能と判断した時点で
更新サーバ３に更新依頼（更新要求）を行う
　
Ｆ　「【００２７】
　例えば、
使用状況記憶部１０６にユーザの使用状況のデータが蓄積され、その結果深夜３時前後であればユーザ操作がなく通信端末１が使用されない時間帯と判断されるような場合には、当該時間帯をプログラム更新を行う時間帯とし、プログラムの更新タイミングとする
　
Ｇ　「【００２８】
　また、
自動起動するプログラムが設定されている時間帯が午後６時である場合には、この時間帯を避けてプログラム更新を行うようにする
　
Ｈ　「【００４１】
　また、
前記更新依頼（Ｓ２０６）は、使用状況記録部１０６を参照して更新タイミングを発生させる処理を説明したが、ユーザ操作によって更新依頼（Ｓ２０６）を発生させても良い
　
　そして、上記ＤないしＨに記載された事項を踏まえると、引用文献２には、次の技術が記載されているものと認められる。 
　
「通信端末で各プログラムを使用するたびに、使用されるプログラムの使用頻度・使用時間等を使用状況記憶部に記憶しておき、当該使用状況記憶部に記憶されたデータを参照してプログラム更新が可能なタイミングを設定し、サーバから更新用プログラム又は更新用データを受信する」技術
　
４．対比
　
　ここで、引用発明と本願発明を対比する。
　
（１）引用発明の「サーバ」、「通信端末」は、それぞれ、本願発明の「サーバ」、「通信端末」に相当する。
　
（２）引用発明の「予約候補情報」は、データのダウンロードが可能な時間帯の開始時刻を示す時間情報を含むものであるから、本願発明の「時間情報」に相当する。
　そうすると、引用発明の「前記データのダウンロードの予約を割付可能な候補の時間帯に関し、少なくともその開始時刻を示す時間情報を含む予約候補情報の送信要求を当該サーバに送信すると共に、当該要求に応じて前記サーバによって送信される前記予約候補情報を取得する予約候補取得手段」と、本願発明の「前記サーバより送信される前記データのダウンロードが可能な時間帯情報を１以上含まれてなる時間情報を取得する時間取得部」とは、“前記サーバより送信される前記データのダウンロードが可能な時間帯情報を１以上含まれてなる時間情報を取得する時間取得部”である点で共通する。
　
（３）引用発明の「前記予約候補取得手段によって取得される前記予約候補情報に基づいて選択される前記時間情報を予約時間情報として含む予約選択情報」とは、予約候補取得手段により取得された予約候補情報に含まれているダウンロードが可能な時間帯からダウンロードを開始する時間帯を選択したものに他ならない。
　
（４）引用発明の「予約時間情報」は、本願発明の「予約情報」に相当する。
　また、引用発明の「当該予約時間情報が示す前記開始時刻を、前記ダウンロードの起動時刻として記憶する」とは、ダウンロードの開始時刻を設定していることに他ならない。
　
（５）上記（３）及び（４）の検討結果を踏まえると、引用発明の「前記予約候補取得手段によって取得される前記予約候補情報に基づいて選択される前記時間情報を予約時間情報として含む予約選択情報を前記サーバに送信すると共に、当該予約時間情報が示す前記開始時刻を、前記ダウンロードの起動時刻として記憶する予約選択手段」及び「前記予約選択手段は、前記予約候補情報に含まれる前記時間情報の中から、前記データのダウンロードを実行する時間帯に関する前記時間情報の選択を促す画面を表示し、ユーザによって、これらの時間帯のうちいずれかが選択される」と、本願発明の「前記記録部に記録されている前記所定のアプリケーションのログ情報から当該所定のアプリケーションの実行がされていない時刻を検索して、前記時間取得部により取得された前記時間情報に含まれている前記時間帯情報から１又は複数の時間帯情報を選択する選択部と」、「前記選択された時間帯情報を含む予約情報を前記サーバに送信する送信部と」、及び「前記選択された時間帯情報に基づいてダウンロードの開始時刻を設定する時刻設定部」とは、全体として、“前記時間取得部により取得された前記時間情報に含まれている前記時間帯情報から１又は複数の時間帯情報を選択する選択部と、前記選択された時間帯情報を含む予約情報を前記サーバに送信する送信部と、前記選択された時間帯情報に基づいてダウンロードの開始時刻を設定する時刻設定部”である点で共通する。
　
（６）引用発明の「前記予約選択手段によって記憶された前記起動時刻」とは、ダウンロードの起動時刻に他ならない。
　そうすると、引用発明の「前記予約選択手段によって記憶された前記起動時刻に、前記サーバへ前記データの送信要求を送信するデータ要求送信手段」は、本願発明の「前記ダウンロードの開始時刻に、前記データの送信要求を前記サーバに送信する開始要求部」に相当する。
　
（７）引用発明の「前記データ要求送信手段によって送信された前記データの送信要求に応じて前記サーバによって送信される前記データを受信するデータ受信手段」は、本願発明の「前記送信要求により前記サーバから送信されてきた前記データを受信するデータ受信部」に相当する。
　
　以上から、本願発明と引用発明とは、以下の点で一致し、また、以下の点で相違する。
　
（一致点）
　
「サーバからデータをダウンロードする通信端末であって、
　前記サーバより送信される前記データのダウンロードが可能な時間帯情報を１以上含まれてなる時間情報を取得する時間取得部と、
　前記時間取得部により取得された前記時間情報に含まれている前記時間帯情報から１又は複数の時間帯情報を選択する選択部と、
　前記選択された時間帯情報を含む予約情報を前記サーバに送信する送信部と、
　前記選択された時間帯情報に基づいてダウンロードの開始時刻を設定する時刻設定部と、
　前記ダウンロードの開始時刻に、前記データの送信要求を前記サーバに送信する開始要求部と、
　前記送信要求により前記サーバから送信されてきた前記データを受信するデータ受信部と、を備える通信端末。」
　
（相違点１）
　
　本願発明が、「所定のアプリケーションの実行に際して、該所定のアプリケーションの識別情報及び該所定のアプリケーションが実行された時刻を対応付けたログ情報を記録する記録部」を備えているのに対して、引用発明は、そのようなものを備えていない点。
　
（相違点２）
　
　時間帯情報を選択する選択部に関して、本願発明が、「前記記録部に記録されている前記所定のアプリケーションのログ情報から当該所定のアプリケーションの実行がされていない時刻を検索して」選択するものであるのに対して、引用発明は、ダウンロードを実行する時間帯に関する時間情報の選択を促す画面を表示し、ユーザにこれらの時間帯のうちいずれかを選択させるものである点。
　
５．当審の判断
　
　上記相違点１及び相違点２について検討する。
　
（１）相違点１及び相違点２について
　
　一般に、サーバから端末にデータをダウンロードする際に、当該端末が使用されていない時間帯を選んで当該データのダウンロードを行うようにすることは、情報処理の技術分野における常とう手段である。
　
　また、引用文献２に記載されるように、「通信端末で各プログラムを使用するたびに、使用されるプログラムの使用頻度・使用時間等を使用状況記憶部に記憶しておき、当該使用状況記憶部に記憶されたデータを参照してプログラム更新が可能なタイミングを設定し、サーバから更新用プログラム又は更新用データを受信する」技術は、本願出願時において、周知技術であった。さらに、引用文献２の上記Ｆに「使用状況記憶部１０６にユーザの使用状況のデータが蓄積され、その結果深夜３時前後であればユーザ操作がなく通信端末１が使用されない時間帯と判断されるような場合には、当該時間帯をプログラム更新を行う時間帯とし、プログラムの更新タイミングとする」と記載されるように、使用状況記憶部に蓄積されている使用状況のデータから通信端末が使用されない時間帯をプログラム更新を行う時間帯とする技術や、引用文献２の上記Ｇに「自動起動するプログラムが設定されている時間帯が午後６時である場合には、この時間帯を避けてプログラム更新を行うようにする」と記載されるように、所定のプログラムが実行されている時間帯を避けてプログラム更新を行う技術についても、本願出願前には、周知技術であった。
　
　引用発明は、上記Ｂに記載されるように、「データのダウンロードに関する利便性を高めることを課題」とする発明であるところ、サーバから取得したダウンロード可能な時間帯の中から、ダウンロードを実行する時間帯をユーザが選択するものである。そうすると、当該選択に際して、ダウンロードを実行する端末が使用されていない時間帯を選ぶようにすること、すなわち、当該端末自身の負荷を考慮してダウンロードを実行する時間帯を選択するように構成することは、当業者が普通に行うことである。そして、引用文献２の上記Ｈに「前記更新依頼（Ｓ２０６）は、使用状況記録部１０６を参照して更新タイミングを発生させる処理を説明したが、ユーザ操作によって更新依頼（Ｓ２０６）を発生させても良い」と記載されるように、更新依頼の発生を自動的に行うか人為的に行うかは、必要に応じて、当業者が適宜選択し得る設計的事項にすぎないことから、引用発明における当該選択を自動的に行うように構成することも、当業者が容易に想到し得たことである。
　
　そうすると、引用発明においても、これらの周知技術を適用し、所定のソフトウェアの実行に際して、該所定のソフトウェアの使用時間等の情報（本願発明の「ログ情報」に相当）を記録部に記録しておき、データをダウンロードするタイミングを選択する際に、ユーザによる選択に替えて、当該記録部に記録した情報を参照して、当該所定のソフトウェアが使用されていない時間帯を自動的に選択するように構成すること、すなわち上記相違点１及び相違点２に係る構成とすることは、当業者が容易に想到し得たことである。
　
　よって、相違点１及び相違点２は格別なものではない。
　
（２）小括
　
　上記で検討したごとく、上記相違点１及び相違点２は格別のものではなく、そして、これらの相違点を総合的に勘案しても、本願発明の奏する作用効果は、上記引用発明及び周知技術の奏する作用効果から予測される範囲内のものにすぎず、格別顕著なものということはできない。
　
　したがって、本願発明は、引用発明及び周知技術に基づいて、容易に発明できたものである。
　
６．むすび 
　
　以上のとおり、本願の請求項１に係る発明は、本願の特許出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　
　したがって、その余の請求項について論及するまでもなく、本願は拒絶すべきものである。
　
　よって、結論のとおり審決する。